(57)【要約】【課題】安定状態のみならず始動時においても階調反転が発生しないＯＣＢモードの液晶表示装置を提供する。【解決手段】ＯＣＢモードの液晶表示装置１において、液晶パネル１０のパネル温度をＴ、検知温度をＴｒ、両者の温度差をΔＴ、最適黒表示電圧をＶｓ（Ｔ）とするときに、Ｖ（Ｔ）＝＜Ｖｓ（Ｔ）、かつ、Ｖ（Ｔｒ−ΔＴ）＝Ｖ（Ｔ）＝＜Ｖｓ（Ｔｒ）の温度特性条件を具備する前記黒表示電圧Ｖ（Ｔｒ）を印加する。【選択図】      図２
2007264601.tif 000002
【特許請求の範囲】
【請求項１】
ＯＣＢモードの液晶パネルを有する液晶表示装置において、
前記液晶パネルの周囲の温度Ｔｒを検知する温度検知部と、
前記検知温度Ｔｒに対応して、前記液晶パネルが最小輝度となる黒表示電圧Ｖ（Ｔｒ）を決定し、この黒表示電圧Ｖ（Ｔｒ）を印加する液晶駆動電圧印加部と、
を有し、
前記液晶駆動電圧印加部は、前記液晶パネルのパネル温度をＴ、前記検知温度Ｔｒと前記パネル温度Ｔとの温度差をΔＴ、前記パネル温度Ｔの上昇と共に低下する最適黒表示電圧をＶｓ（Ｔ）とするときに、
Ｖ（Ｔ）＝＜Ｖｓ（Ｔ）、かつ、Ｖ（Ｔｒ−ΔＴ）＝Ｖ（Ｔ）＝＜Ｖｓ（Ｔｒ）
の温度特性条件を満足する前記黒表示電圧Ｖ（Ｔｒ）を印加する、
液晶表示装置。
【請求項２】
前記検知温度Ｔｒの範囲が、２０℃＜Ｔｒ＜３０℃である、
請求項１記載の液晶表示装置。
【請求項３】
前記液晶駆動電圧印加部は、前記パネル温度Ｔが所定温度Ｔｓ以下では、前記黒表示電圧Ｖ（Ｔ）を略一定とする、
請求項１記載の液晶表示装置。
【請求項４】
前記液晶駆動電圧印加部は、前記パネル温度Ｔが所定温度Ｔｓ以下では、前記黒表示電圧Ｖ（Ｔ）を前記パネル温度Ｔと共に低下させる、
請求項１記載の液晶表示装置。
【請求項５】
前記液晶駆動電圧印加部は、
前記温度特性条件を具備した黒表示電圧Ｖ（Ｔｒ）を記憶した記憶部と、
前記入力した検知温度Ｔｒに対応して前記記憶部から黒表示電圧Ｖ（Ｔｒ）を呼び出し印加する、
請求項１記載の液晶表示装置。
【請求項６】
前記液晶駆動電圧印加部は、
前記黒表示電圧Ｖ（Ｔｒ）に対応して他の階調の表示電圧も変動させる、
請求項１記載の液晶表示装置。
【請求項７】
前記温度検知部が、前記液晶パネルを駆動するための駆動回路に設けられている、
請求項１記載の液晶表示装置。
【請求項８】
一対の基板間に液晶層を保持した構成のＯＣＢモードを適用した液晶パネルと、
前記液晶パネルを筐体にセットしたときの前記液晶パネルの周辺温度を検知する温度検知部と、
黒画像を表示するために前記液晶層に印加する黒表示電圧を前記液晶パネルのパネル温度に応じて制御する制御部と、
を備え、
前記制御部は、前記温度検知部によって検知された検知温度を所定の補正量に基づいて補正し、補正した補正温度に応じて黒表示電圧を設定する、
液晶表示装置。
【請求項９】
一対の基板間に液晶層を保持した構成のＯＣＢモードを適用した液晶パネルと、
前記液晶パネルを筐体にセットしたときの前記液晶パネルの周辺温度を検知する温度検知部と、
黒画像を表示するために前記液晶層に印加する黒表示電圧を前記液晶パネルのパネル温度に応じて制御する制御部と、
前記温度検知部によって検知された検知温度と前記液晶パネルのパネル温度との補正量を記憶した第１メモリと、
前記液晶パネルのパネル温度に対する前記液晶層に印加すべき黒表示電圧の補正テーブルを記憶した第２メモリと、
を備え、
前記制御部は、前記温度検知部によって検知された検知温度を前記第１メモリに記憶された補正量に基づいて補正し、補正した補正温度に応じて前記第２メモリに記憶された補正テーブルに基づき黒表示電圧を設定する、
液晶表示装置。
【請求項１０】
前記温度制御部は、デジタル温度センサを含む、
請求項１または２記載の液晶表示装置。
【請求項１１】
前記第１メモリは、書き換え可能な記憶媒体を含む、
請求項８または９記載の液晶表示装置。
【請求項１２】
一対の基板間に液晶層を保持した構成のＯＣＢモードを適用した液晶パネルと、
前記液晶パネルの周辺温度を検知する温度検知部と、
黒画像を表示するために前記液晶層に印加する黒表示電圧を前記液晶パネルのパネル温度に応じて制御する制御部と、
を備え、
前記制御部は、前記温度検知部によって検知された検知温度に基づき、特定温度よりも低い温度を検知した場合には所定の一定電圧に黒表示電圧を設定すると共に、特定温度以上の温度を検知した場合には高い温度ほど前記一定電圧よりも低い電圧に黒表示電圧を設定する、
液晶表示装置。
【請求項１３】
前記特定温度は、２５℃から５０℃の範囲内の温度に設定された、
請求項１２記載の液晶表示装置。
【請求項１４】
前記温度制御部は、デジタル温度センサを含む、
請求項１２記載の液晶表示装置。
【請求項１５】
さらに、前記液晶パネルのパネル温度に対する前記液晶層に印加すべき黒表示電圧の補正テーブルを記憶したメモリを備えた、
請求項１２記載の液晶表示装置。
【請求項１６】
前記メモリは、書き換え可能な記憶媒体を含む、
請求項１５記載の液晶表示装置。
【請求項１７】
一対の基板間に液晶層を保持した構成のＯＣＢモードを適用した液晶パネルと、
前記液晶パネルの周辺温度を検知する温度検知部と、
黒画像を表示するために前記液晶層に印加する黒表示電圧を前記液晶パネルのパネル温度に応じて制御する制御部と、
前記温度検知部によって検知された検知温度と前記液晶パネルのパネル温度との補正量を記憶した第１メモリと、
前記液晶パネルのパネル温度に対する前記液晶層に印加すべき黒表示電圧の補正テーブルを記憶した第２メモリと、
を備え、
前記補正テーブルは、特定温度よりも低い温度では所定の一定電圧とし、特定温度以上の温度では高い温度ほど前記一定電圧よりも低くなるような電圧の分布に対応したデータであり、
前記制御部は、前記温度検知部によって検知された検知温度を前記第１メモリに記憶された補正量に基づいて補正し、補正した補正温度に応じて前記第２メモリに記憶された補正テーブルに基づき黒表示電圧を設定する、
液晶表示装置。
【請求項１８】
一対の基板間に液晶層を保持した構成のＯＣＢモードを適用した液晶パネルと、
前記液晶パネルの周辺温度を検知する温度検知部と、
黒画像を表示するために前記液晶層に印加する黒表示電圧を前記液晶パネルの温度に応じて制御する制御部と、
経過時間を計測する計測部と、
を備え、
前記制御部は、前記計測部により電源投入から所定時間が計測されるまでは前記温度検知部によって検知された温度に応じて黒表示電圧を設定すると共に、前記計測部により電源投入から所定時間が計測された以後は前記温度検知部によって検知された温度を補正し、補正した温度に応じて黒表示電圧を設定する、
液晶表示装置。
【請求項１９】
さらに、前記液晶パネルの温度に対する前記液晶層に印加すべき黒表示電圧の補正データを記憶したメモリを備えた、
請求項１８記載の液晶表示装置。
【請求項２０】
前記制御部は、前記温度検知部によって検知された温度から所定値を減算するように温度を補正する、
請求項１８記載の液晶表示装置。
【請求項２１】
一対の基板間に液晶層を保持した構成のＯＣＢモードを適用した液晶パネルと、
前記液晶パネルの周辺温度を検知する温度検知部と、
黒画像を表示するために前記液晶層に印加する黒表示電圧を前記液晶パネルの温度に応じて制御する制御部と、
経過時間を計測する計測部と、
前記液晶パネルの温度に対する前記液晶層に印加すべき黒表示電圧の第１補正データ、及び、前記温度検知部によって検知された温度に対する前記液晶層に印加すべき黒表示電圧の第２補正データを記憶したメモリと、
を備え、
前記制御部は、前記計測部により電源投入から所定時間が計測されるまでは前記温度検知部によって検知された温度に応じて前記第１補正データに基づき黒表示電圧を設定すると共に、前記計測部により電源投入から所定時間が計測された以後は前記温度検知部によって検知された温度に応じて前記第２補正データに基づき黒表示電圧を設定する、
液晶表示装置。
【請求項２２】
一対の基板間に液晶層を保持した構成のＯＣＢモードを適用した液晶パネルと、
前記液晶パネルの周辺温度を検知する温度検知部と、
黒画像を表示するために前記液晶層に印加する黒表示電圧を前記液晶パネルの温度に応じて制御する制御部と、
経過時間を計測する計測部と、
前記液晶パネルの温度に対する前記液晶層に印加すべき黒表示電圧の補正データを記憶したメモリと、
を備え、
前記制御部は、前記計測部により電源投入から所定時間が計測されるまでは前記温度検知部によって検知された温度に応じて前記補正データに基づき黒表示電圧を設定すると共に、前記計測部により電源投入から所定時間が計測された以後は前記温度検知部によって検知された温度に応じて前記補正データに基づく値よりも低い値に黒表示電圧を設定する、
液晶表示装置。
【発明の詳細な説明】
【技術分野】
【０００１】
本発明は、液晶表示装置に係り、特に、広視野角及び高速応答の実現が可能な光学的補償ベンド（ＯＣＢ；Ｏｐｔｉｃａｌｌｙ  Ｃｏｍｐｅｎｓａｔｅｄ  Ｂｅｎｄ）配向技術を用いた液晶表示装置に関する。
【背景技術】
【０００２】
液晶表示装置は、軽量、薄型、低消費電力などの特徴を生かして、各種分野に適用されている。
【０００３】
近年、視野角及び応答速度を改善可能な液晶表示装置として、ＯＣＢモードを適用した液晶表示装置が注目されている。このようなＯＣＢモードの液晶表示装置は、一対の基板間にベンド配列が可能な液晶分子を有する液晶層を保持して構成したものである。このようなＯＣＢモードは、ＴＮ（ツイステッド・ネマティック）モードと比較して応答速度が一桁改善され、さらに液晶分子の配列状態により液晶層を通過する光の複屈折の影響を光学的に自己補償できるため視野角が広いという利点がある（例えば、特許文献１参照）。
【０００４】
このＯＣＢモードの液晶表示装置においては、光の複屈折を用いて表示を行うために特定電圧でのみ黒表示が可能となり、図５に示すように、この最適黒表示電圧を超える電圧２の範囲では、透過率が増大し階調反転が発生する。したがって、ＯＣＢモード液晶表示装置では、黒表示電圧Ｖを輝度のボトムとなる最適黒表示電圧Ｖｓの値に設定し、他の階調の表示電圧は、この最適黒表示電圧Ｖｓより低い電圧（図５における電圧１の範囲）をかけて表示している。
【０００５】
ところで、図６の実線に示すように、この最適黒表示電圧Ｖｓ（Ｔ）はパネル温度Ｔが上昇するにつれ低下する、という温度特性を有している。そこで、これまでのＯＣＢモードの液晶表示装置においては温度センサを設け、この検知温度Ｔｒに応じて図６の点線に示すように黒表示電圧Ｖ（Ｔ）を温度補正している（例えば、特許文献２参照）。
【０００６】
この温度補正を行うＯＣＢモードの液晶表示装置においては、温度センサは液晶表示装置の駆動回路を搭載したプリント配線基板上に設けられているため、バックライトの熱や電子部品からの熱により、実際のパネル温度Ｔより高い温度を検知する傾向にある。そのため、従来よりこの温度差ΔＴを補正して黒表示電圧Ｖ（Ｔｒ）が印加される。図６の点線に示す黒表示電圧Ｖ（Ｔｒ）においては、パネル温度Ｔと検知温度Ｔｒの温度差ΔＴが１０℃の場合を示し、この場合、全ての温度帯域にわたって最適黒表示電圧Ｖｓ（Ｔ）以下で黒表示電圧Ｖ（Ｔ）を印加することになるので、階調反転が生じることがない。
【特許文献１】特開２００２−２０２４９１公報
【特許文献２】特開２００４−１８５０２７公報
【発明の開示】
【発明が解決しようとする課題】
【０００７】
しかしながら、上記のようなＯＣＢモードの液晶表示装置においては、電源を投入した直後においては、バックライトからの熱や電子部品からの熱がないため、検知温度Ｔｒとパネル温度Ｔとの温度差ΔＴがなく、その温度特性が見かけ上は図６の一点鎖線に示すような状態となる。
【０００８】
すなわち、温度差ΔＴがないため、温度差を考慮していた分だけ黒表示電圧が上昇することになって最適黒表示電圧Ｖｓ（Ｔ）を超え、電源を投入した始動時には表示が反転するという問題点がある。例えば、図６に示すように室温（２０℃〜３０℃）付近においては、黒表示電圧が最適黒表示電圧Ｖｓ（Ｔ）以上になり、階調反転が発生している。
【０００９】
そこで、本発明は上記問題点に鑑み、安定状態のみならず始動時においても階調反転が発生しないＯＣＢモードの液晶表示装置を提供することを目的とする。
【課題を解決するための手段】
【００１０】
請求項１に係る発明は、ＯＣＢモードの液晶パネルを有する液晶表示装置において、前記液晶パネルの周囲の温度Ｔｒを検知する温度検知部と、前記検知温度Ｔｒに対応して、前記液晶パネルが最小輝度となる黒表示電圧Ｖ（Ｔｒ）を決定し、この黒表示電圧Ｖ（Ｔｒ）を印加する液晶駆動電圧印加部と、を有し、前記液晶駆動電圧印加部は、前記液晶パネルのパネル温度をＴ、前記検知温度Ｔｒと前記パネル温度Ｔとの温度差をΔＴ、前記パネル温度Ｔの上昇と共に低下する最適黒表示電圧をＶｓ（Ｔ）とするときに、
Ｖ（Ｔ）＝＜Ｖｓ（Ｔ）、かつ、Ｖ（Ｔｒ−ΔＴ）＝Ｖ（Ｔ）＝＜Ｖｓ（Ｔｒ）
の温度特性条件を満足する前記黒表示電圧Ｖ（Ｔｒ）を印加する、液晶表示装置である。
【００１１】
請求項８に係る発明は、一対の基板間に液晶層を保持した構成のＯＣＢモードを適用した液晶パネルと、前記液晶パネルを筐体にセットしたときの前記液晶パネルの周辺温度を検知する温度検知部と、黒画像を表示するために前記液晶層に印加する黒表示電圧を前記液晶パネルのパネル温度に応じて制御する制御部と、を備え、前記制御部は、前記温度検知部によって検知された検知温度を所定の補正量に基づいて補正し、補正した補正温度に応じて黒表示電圧を設定する、液晶表示装置である。
【００１２】
請求項９に係る発明は、一対の基板間に液晶層を保持した構成のＯＣＢモードを適用した液晶パネルと、前記液晶パネルを筐体にセットしたときの前記液晶パネルの周辺温度を検知する温度検知部と、黒画像を表示するために前記液晶層に印加する黒表示電圧を前記液晶パネルのパネル温度に応じて制御する制御部と、前記温度検知部によって検知された検知温度と前記液晶パネルのパネル温度との補正量を記憶した第１メモリと、前記液晶パネルのパネル温度に対する前記液晶層に印加すべき黒表示電圧の補正テーブルを記憶した第２メモリと、を備え、前記制御部は、前記温度検知部によって検知された検知温度を前記第１メモリに記憶された補正量に基づいて補正し、補正した補正温度に応じて前記第２メモリに記憶された補正テーブルに基づき黒表示電圧を設定する、液晶表示装置である。
【００１３】
請求項１２に係る発明は、一対の基板間に液晶層を保持した構成のＯＣＢモードを適用した液晶パネルと、前記液晶パネルの周辺温度を検知する温度検知部と、黒画像を表示するために前記液晶層に印加する黒表示電圧を前記液晶パネルのパネル温度に応じて制御する制御部と、を備え、前記制御部は、前記温度検知部によって検知された検知温度に基づき、特定温度よりも低い温度を検知した場合には所定の一定電圧に黒表示電圧を設定すると共に、特定温度以上の温度を検知した場合には高い温度ほど前記一定電圧よりも低い電圧に黒表示電圧を設定する、液晶表示装置である。
【００１４】
請求項１７に係る発明は、一対の基板間に液晶層を保持した構成のＯＣＢモードを適用した液晶パネルと、前記液晶パネルの周辺温度を検知する温度検知部と、黒画像を表示するために前記液晶層に印加する黒表示電圧を前記液晶パネルのパネル温度に応じて制御する制御部と、前記温度検知部によって検知された検知温度と前記液晶パネルのパネル温度との補正量を記憶した第１メモリと、前記液晶パネルのパネル温度に対する前記液晶層に印加すべき黒表示電圧の補正テーブルを記憶した第２メモリと、を備え、前記補正テーブルは、特定温度よりも低い温度では所定の一定電圧とし、特定温度以上の温度では高い温度ほど前記一定電圧よりも低くなるような電圧の分布に対応したデータであり、前記制御部は、前記温度検知部によって検知された検知温度を前記第１メモリに記憶された補正量に基づいて補正し、補正した補正温度に応じて前記第２メモリに記憶された補正テーブルに基づき黒表示電圧を設定する、液晶表示装置である。
【００１５】
請求項１８に係る発明は、一対の基板間に液晶層を保持した構成のＯＣＢモードを適用した液晶パネルと、前記液晶パネルの周辺温度を検知する温度検知部と、黒画像を表示するために前記液晶層に印加する黒表示電圧を前記液晶パネルの温度に応じて制御する制御部と、経過時間を計測する計測部と、を備え、前記制御部は、前記計測部により電源投入から所定時間が計測されるまでは前記温度検知部によって検知された温度に応じて黒表示電圧を設定すると共に、前記計測部により電源投入から所定時間が計測された以後は前記温度検知部によって検知された温度を補正し、補正した温度に応じて黒表示電圧を設定する、液晶表示装置である。
【００１６】
請求項２１に係る発明は、一対の基板間に液晶層を保持した構成のＯＣＢモードを適用した液晶パネルと、前記液晶パネルの周辺温度を検知する温度検知部と、黒画像を表示するために前記液晶層に印加する黒表示電圧を前記液晶パネルの温度に応じて制御する制御部と、経過時間を計測する計測部と、前記液晶パネルの温度に対する前記液晶層に印加すべき黒表示電圧の第１補正データ、及び、前記温度検知部によって検知された温度に対する前記液晶層に印加すべき黒表示電圧の第２補正データを記憶したメモリと、を備え、前記制御部は、前記計測部により電源投入から所定時間が計測されるまでは前記温度検知部によって検知された温度に応じて前記第１補正データに基づき黒表示電圧を設定すると共に、前記計測部により電源投入から所定時間が計測された以後は前記温度検知部によって検知された温度に応じて前記第２補正データに基づき黒表示電圧を設定する、液晶表示装置である。
【００１７】
請求項２２に係る発明は、一対の基板間に液晶層を保持した構成のＯＣＢモードを適用した液晶パネルと、前記液晶パネルの周辺温度を検知する温度検知部と、黒画像を表示するために前記液晶層に印加する黒表示電圧を前記液晶パネルの温度に応じて制御する制御部と、経過時間を計測する計測部と、前記液晶パネルの温度に対する前記液晶層に印加すべき黒表示電圧の補正データを記憶したメモリと、を備え、前記制御部は、前記計測部により電源投入から所定時間が計測されるまでは前記温度検知部によって検知された温度に応じて前記補正データに基づき黒表示電圧を設定すると共に、前記計測部により電源投入から所定時間が計測された以後は前記温度検知部によって検知された温度に応じて前記補正データに基づく値よりも低い値に黒表示電圧を設定する、液晶表示装置である。
【発明の効果】
【００１８】
本発明によれば、使用環境にかかわらず表示品位の良好なＯＣＢモードを適用した液晶表示装置を提供することができる。すなわち、始動時においても黒表示電圧が最適黒表示電圧を超えることがないため階調反転が生じない。
【発明を実施するための最良の形態】
【００１９】
以下、本発明の一実施形態のＯＣＢモードの液晶表示装置１について図面に基づいて説明する。なお、ここで説明する液晶表示装置１は、光透過型で構成したが、外光を選択的に反射することによって画像を表示する反射型であっても良いし、バックライト光を選択的に透過することによって画像を表示する透過型であっても良いし、反射部及び透過部を有する半透過型であっても良い。
【００２０】
（第１の実施形態）
第１の実施形態の液晶表示装置１について図１と図２に基づいて説明する。
【００２１】
（１）液晶表示装置１の構成
液晶表示装置１の構成について図１に基づいて説明する。
【００２２】
液晶表示装置１の液晶パネル１０は、アレイ基板１２と対向基板１４とを有し、両基板１２，１４の間に液晶層（ＯＣＢモードの液晶）３０が挟持されている。
【００２３】
アレイ基板１２は、ガラス基板上に複数本の信号線１６と複数本の走査線１８が直交するように配され、信号線１６と走査線１８の交差部近傍にポリシリコンからなる薄膜トランジスタ（Ｔｈｉｎ  Ｆｉｌｍ  Ｔｒａｎｓｉｓｔｏｒ）やＭＩＭ（Ｍｅｔａｌ  Ｉｎｓｕｌａｔｅｄ  Ｍｅｔａｌ；以下、「ＴＦＴ」という）２０がマトリックス状に形成されている。
【００２４】
図７に示すように、アレイ基板１２は、ガラスなどの光透過性を有する絶縁基板２１１を用いて形成されている。このアレイ基板１２は、絶縁基板２１１の一方の主面に、表示画素ＰＸの行方向に沿って配置された複数の走査線１８、表示画素ＰＸの列方向に沿って配置された複数の信号線１６、走査線１８と信号線１６との交差部近傍において表示画素ＰＸ毎に配置されたＴＦＴ２０、ＴＦＴ２０に接続され表示画素ＰＸ毎に配置された画素電極２１３、絶縁基板２１１の主面全体を覆うように配置された配向膜２１４などを備えている。透過型の液晶パネル１０においては、画素電極２１３は、例えばＩＴＯ（Ｉｎｄｉｕｍ  Ｔｉｎ  Ｏｘｉｄｅ）などの光透過性を有する導電性部材によって形成されている。反射型の液晶パネル１０の場合は、画素電極２１３は、例えばアルミニウム等の反射電極材によって形成することができる。
【００２５】
対向基板１４は、ガラスなどの光透過性を有する絶縁基板２２１を用いて形成されている。この対向基板１４は、絶縁基板２２１の一方の主面に、全表示画素に共通に配置された対向電極２２２、絶縁基板２２１の主面全体を覆うように配置された配向膜２２３などを備えている。対向電極２２２は、例えばＩＴＯなどの光透過性を有する導電性部材によって形成されている。
【００２６】
上記したような構成のアレイ基板１２と対向基板１４とは、図示しないスペーサを介して互いに所定のギャップを維持した状態で配置され、シール材によって貼り合わせられている。液晶層３０は、これらアレイ基板１２と対向基板１４との間のギャップに封入されている。本実施形態では、液晶パネル１０は、ＯＣＢ（Ｏｐｔｉｃａｌｌｙ  Ｃｏｍｐｅｎｓａｔｅｄ  Ｂｅｎｄ）モードを適用した構成であり、液晶層３０は、正の誘電率異方性を有すると共に光学的に正の一軸性を有する液晶分子３１を含む材料によって構成されている。この液晶層３０に電圧を印加した所定の表示状態においては、アレイ基板１２と対向基板１４との間で液晶分子３１がベンド配列している。
【００２７】
アレイ基板１２の外面に配置された第１光学補償素子４０及び対向基板１４の外面に配置された第２光学補償素子５０は、上記したような液晶パネル１０における液晶層３０に電圧を印加した所定の表示状態において、液晶層３０のリタデーションを光学的に補償する機能を有している。
【００２８】
複数本の信号線１６は、信号線ドライバー回路２２から映像信号である液晶駆動電圧が供給され、複数本の走査線１８は走査線ドライバー回路２４からゲート信号が入力され、ＴＦＴ２０を駆動させる。
【００２９】
信号線ドライバー回路２２と走査線ドライバー回路２４は、コントローラ２６によって制御されている。また、このコントローラ２６には、デジタル式の温度センサ２８からの検知温度Ｔｒに関するデータが入力される。この温度センサ２８は、コントローラ２６が取り付けられているプリント配線基板上に取り付けられている。
【００３０】
（２）動作状態
次に、温度センサ２８によって検知された検知温度Ｔｒに基づいて黒表示電圧Ｖ（Ｔｒ）を印加する動作状態について説明する。
【００３１】
上記で説明したように、検知温度Ｔｒとパネル温度Ｔとの間には温度差ΔＴが生じている。例えば、液晶表示装置１を１時間以上使用した場合には検知温度Ｔｒがパネル温度Ｔより約１０℃高い。これは、バックライトからの熱や電子部品からの熱の影響による。なお、パネル温度Ｔとは、液晶層の液晶の温度をいうものとする。一方、液晶表示装置１の電源投入時である始動時には検知温度Ｔｒとパネル温度Ｔとの温度差ΔＴは生じない。
【００３２】
本実施形態では、始動時においても階調反転が生じないようにするために黒表示電圧Ｖ（Ｔｒ）が最適黒表示電圧Ｖｓ（Ｔｒ）以下になるように、図２の点線に示すような黒表示電圧Ｖ（Ｔｒ）を信号線ドライバー回路２２によって印加させる。
【００３３】
この黒表示電圧Ｖ（Ｔｒ）は、次のような温度条件を具備する温度補正関数をコントローラ２６に記憶させ、検知温度Ｔｒに応じて信号線ドライバ回路２２から出力される黒表示電圧Ｖ（Ｔｒ）を温度補正している。なお、この温度補正関数は、次の２つの条件を満足するように記憶されている。
【００３４】
第１の条件は、黒表示電圧Ｖ（Ｔ）が最適黒表示電圧Ｖｓ（Ｔ）を少しでも超えると階調反転が生じるため、
Ｖ（Ｔ）＝＜Ｖｓ（Ｔ）      ・・・（１）
の条件を満足するようにする。
【００３５】
第２の条件は、
Ｖ（Ｔｒ−ΔＴ）＝Ｖ（Ｔ）＝＜Ｖｓ（Ｔｒ）      ・・・（２）
である。これはパネル温度Ｔと検知温度Ｔｒの温度差ΔＴを上記のように１０℃とすると、検知温度Ｔｒが２５℃で始動するときの階調反転を回避するためには、パネル温度Ｔが１５℃での黒表示電圧を、検知温度Ｔｒが２５℃での最適黒表示電圧Ｖｓ（Ｔ）以下にする必要があるからである。
【００３６】
図２における一点鎖線は見かけ上の始動時の黒表示電圧を表している。また、液晶表示装置１を使用して、そのパネル温度Ｔが安定（ここでは、パネル温度が３５℃）した場合には、黒表示電圧がほぼ最適黒表示電圧Ｖｓ（Ｔ）と等しくなるようになっており、コントラストを低下させることがない。
【００３７】
また、コントローラ２６は、他の階調の表示電圧、すなわち、黒色より透過率が高い色の表示電圧については、この黒表示電圧Ｖ（Ｔ）の変動に合わせて電圧を上下させる。これによって、他の階調の表示電圧においてもパネル温度Ｔに対応した表示を行うことができる。
【００３８】
（第２の実施形態）
次に、本発明になる液晶表示装置の第２の実施形態について図３に基づいて説明する。
【００３９】
本実施形態と第１の実施形態の異なる点は温度補正関数にある。第１の実施形態では温度補正関数が非常に複雑であり、コントローラ２６の構成が複雑になるため、これをより簡単に実現するものである。
【００４０】
本実施形態では、図３の点線に示すようなピーク温度Ｔｓを有する黒表示電圧Ｖ（Ｔ）を印加する。すなわち、液晶表示装置１を使用した安定時のパネル温度Ｔ（例えば、３５℃）付近でピーク温度Ｔｓを有するように温度補正を行う。そして、このピーク温度Ｔｓより高い温度Ｔでは黒表示電圧Ｖ（Ｔ）が最適黒表示電圧Ｖｓ（Ｔ）とほぼ等しくなり、ピーク温度Ｔｓより低い温度Ｔでは黒表示電圧Ｖ（Ｔ）がパネル温度Ｔと共に低下する。
【００４１】
本実施形態であっても、パネル温度Ｔの安定時にはコントラストの特性を低下させることなく始動時の階調反転を回避することができる。
【００４２】
（第３の実施形態）
次に、本発明になる液晶表示装置の第３の実施形態について図４に基づいて説明する。
【００４３】
本実施形態と第２の実施形態の異なる点は温度補正関数にある。第２の実施形態の液晶表示装置１においては、パネル温度Ｔが低温時にはコントラストの低下が発生することとなる。これは、ピーク温度Ｔｓより低いパネル温度Ｔの場合には、パネル温度Ｔと共に黒表示電圧Ｖ（Ｔ）が低下しているためである。
【００４４】
そこで、本実施形態では安定時のパネル温度Ｔ（例えば３５℃）以下では、黒表示電圧Ｖ（Ｔ）が一定になるように印加する。
【００４５】
このように所定温度以下で黒表示電圧Ｖ（Ｔ)を一定にすることにより、パネル温度Ｔの安定時にコントラスト特性が低下することがなく、始動時の階調反転を回避することができ、さらに、低温時のコントラストの低下を軽減することができる。
【００４６】
また、本方式はＯＣＢモードの液晶表示装置に極めて有効であるが、ホモジニアスセルのような複屈折を用い、かつ、設定電圧によっては階調反転特性を有する液晶表示装置にも適用可能である。
【００４７】
なお、このパネル温度Ｔが３５℃以下において黒表示電圧Ｖ（Ｔ）を一定にするのでなく、最適黒表示電圧Ｖｓ（Ｔ）を超えないように上昇させるようにしてもよい。
【００４８】
（第４の実施形態）
以下、本発明の第４の実施形態に係る液晶表示装置１について図面を参照して説明する。
【００４９】
（１）液晶パネルの構成
図７及び図８に示すように、液晶表示装置１は、ＯＣＢモードを適用した液晶パネル１０を備えている。この液晶パネル１０は、本実施形態においては透過型であって、偏光子４１を含む第１光学補償素子４０と、検光子５１を含む第２光学補償素子５０との間に配置されている。液晶パネル１０は、一対の基板すなわちアレイ基板１２と対向基板１４との間に前記したＯＣＢモードの液晶層３０を保持した構成であり、マトリックス状に配置された複数の表示画素ＰＸを備えている。
【００５０】
アレイ基板１２は、ガラスなどの光透過性を有する絶縁基板１１を用いて形成されている。このアレイ基板１２は、絶縁基板２１１の一方の主面に、表示画素ＰＸの行方向に沿って配置された複数の走査線１８、表示画素ＰＸの列方向に沿って配置された複数の信号線１６、走査線１８と信号線１６との交差部近傍において表示画素ＰＸ毎に配置されたＴＦＴ２０、ＴＦＴ２０に接続されている。
【００５１】
（２）駆動回路の構成
このような構成の液晶パネル１０には、駆動回路基板１００が接続されている。この駆動回路基板１００は、液晶パネル１０の裏面側（画像を表示する表示面とは反対側）に折り曲げて配置されたり、液晶パネル１０の周縁に沿って配置されたりする。液晶パネル１０の駆動を制御する制御回路１０１を備えている。この制御回路１０１には、第１メモリ１０２、第２メモリ１０３、温度検知回路１０４、電源回路１０５などが接続されている。
【００５２】
第１メモリ１０２及び第２メモリ１０３は、読み出し専用のＲＯＭなどの記憶媒体や書き換え可能なＲＡＭなどの記憶媒体を含んでいる。これらの第１メモリ１０２及び第２メモリ１０３には、制御回路１０１による制御に必要な各種データが記憶されている。温度検知回路１０４は、デジタル温度センサなどを含んでおり、検知した温度Ｔｒに対応した信号を制御回路１０１に対して出力するものである。この温度検知回路１０４は、ここでは、特に、液晶パネル１０の周辺に配置された駆動回路基板１００に取り付けられていることから、液晶パネル１０の周辺温度を検知可能である。また、温度検知回路１０４は、液晶パネル１０を筐体にセットしたときには、筐体内での液晶パネル１０の周辺温度を検知可能である。電源回路１０５は、液晶パネル１０を駆動するための電源を供給するものである。
【００５３】
（３）ＯＣＢモードの表示状態
上記したようなＯＣＢモードを適用した液晶パネル１０においては、複屈折を用いた表示モードであるがゆえに、一定電圧以上を印加すると階調反転という不具合が発生するという性質がある。すなわち、ノーマリホワイトモードの透過型液晶表示装置１においては、液晶層３０に印加する電圧（Ｖ）と液晶パネル１０の透過率（％）とは、例えばパネル温度Ｔが２５℃のときに図９に示すような関係がある。
【００５４】
つまり、アレイ基板１２と対向基板１４との間で液晶分子３１がベンド配列している状態で液晶パネル１０の透過率が最大となる状態が、白画像を表示する状態に相当する。このような状態から液晶層３０への印加電圧を上昇していくに従い、第１光学補償素子４０及び第２光学補償素子５０による補償効果によって液晶パネル１０の透過率が次第に低下し、透過率が最低となる状態が、黒画像を表示する状態に相当する。このように、黒画像を表示するために液晶層３０に印加する電圧を最適黒表示電圧Ｖｓ（Ｔ）（図９に示した例では４．５Ｖ）と称する。
【００５５】
このような黒画像を表示する状態からさらに液晶層３０への印加電圧を上昇していくと、第１光学補償素子４０及び第２光学補償素子５０による過補償効果によって液晶パネル１０の透過率が次第に上昇する。このため、黒表示電圧を最適黒表示電圧Ｖｓ（Ｔ）である４．５Ｖより大きな電圧に設定してしまうと、下位の階調の透過率が上位の階調の透過率を上回ってしまうといったいわゆる階調反転を生じてしまう。したがって、黒表示電圧を適宜設計や個別に調整する必要がある。
【００５６】
一方で、このようなＯＣＢモードを適用した液晶パネル１０においては、液晶層３０に印加する電圧（Ｖ）と液晶パネル１０の透過率（％）との関係（Ｖ−Ｔ特性）には、温度依存性がある。このため、例えば図１０に示すように、最適黒表示電圧Ｖｓ（Ｔ）も温度によって変動する。図１０では、液晶パネル１０のパネル温度Ｔが０℃のときに液晶層３０に印加すべき最適黒表示電圧を基準電圧Ｖｓ（Ｔ）とし（０Ｖ）、他のパネル温度Ｔのときの最適黒表示電圧Ｖｓ（Ｔ）を相対値として示している。例えば、液晶パネル１０のパネル温度Ｔが３０℃の場合には最適黒表示電圧Ｖｓ（Ｔ）が基準電圧であるのに対して、液晶パネル１０のパネル温度が５０℃の場合には最適黒表示電圧Ｖｓ（Ｔ）は基準電圧に対して−２５０ｍＶといった具合である。
【００５７】
（４）温度補償
このように最適黒表示電圧Ｖｓ（Ｔ）より高い電圧を黒表示電圧として液晶層３０に印加したときには階調反転を生じてしまい、また、最適黒表示電圧より低い電圧を黒表示電圧として液晶層３０に印加したときにはコントラストの低下を招いてしまう。
【００５８】
このため、温度検知回路を適用して液晶パネル１０のパネル温度Ｔを検知して、液晶層３０に印加する電圧、特に黒表示電圧を液晶パネル１０のパネル温度Ｔに応じて制御することが求められている。このためには、液晶パネル１０のパネル温度Ｔそのものを検知する必要がある。
【００５９】
しかしながら、液晶パネル１０を構成する絶縁基板にセンサなどを貼り付けることは非常に難しい。このため、上記したように、温度検知回路１０４は、駆動回路基板１００などの液晶パネル１０の周辺に配置される回路基板の一部に備えられている。このように、液晶パネル１０のパネル温度を直接検知することができないため、温度検知回路１０４によって検知された液晶パネル１０の周辺温度（検知温度Ｔｒ）と、実際の液晶パネル１０のパネル温度Ｔとの間には、上述した通り温度差（ΔＴ）が生ずることがある。
【００６０】
液晶表示装置１の主な使用環境においては、検知温度Ｔｒとパネル温度Ｔとの温度差ΔＴはほぼ一定（例えば１０℃）となるため、検知温度Ｔｒから一定量をオフセットさせる（例えば１０℃減算する）ことによって得られた補正温度は、液晶パネル１０のパネル温度とほぼ同等となる。
【００６１】
そこで、本実施形態においては、制御回路１０１は、温度検知回路１０４によって検知された検知温度Ｔｒを所定の補正量に基づいてオフセットさせるような補正を行い、補正した補正温度に応じて黒表示電圧を設定する。これにより、適切な電圧制御を行なうことができる。
【００６２】
（５）補正量
ところで、この補正量は、液晶パネル１０を筐体にセットする前のモジュール形態で設定される値と、液晶パネル１０を筐体にセットしたセット形態とで設定される値とは必ずしも一致するとは限らない。すなわち、モジュール形態を製造した段階においては、検知温度Ｔｒとパネル温度Ｔとの差に基づいて補正量を所定値例えば１０℃に設定したとしても、セット形態とした段階においては、温度検知回路１０４が熱源あるいは冷却機構の近傍に配置されると、検知温度Ｔｒとパネル温度Ｔとの温度差ΔＴがモジュール形態の場合よりもさらに拡大したり縮小したりする。このため、セット形態において最適な補正量は、モジュール形態で設定された所定値とは異なることがある。
【００６３】
より具体的には、液晶パネル１０のパネル温度に対する最適な黒表示電圧が図１１のＡで示すような分布である場合を考える。モジュール形態においては、検知温度Ｔｒとパネル温度Ｔとの間に、例えば１０℃の温度差ΔＴがあるものとして、補正量は、１０℃に設定されている。このため、例えば温度検知回路１０４により周辺温度として６０℃が検知された場合、検知温度Ｔｒとしての６０℃から補正量１０℃を減算する補正を行い、補正温度５０℃がパネル温度Ｔであると推定して分布Ａを参照し、基準電圧に対して−２５０ｍＶの電圧が黒表示電圧として設定される。
【００６４】
これに対して、モジュール形態においては、検知温度Ｔｒとパネル温度Ｔとの温度差ΔＴがモジュール形態での値（１０℃）よりもさらに拡大する場合について考える。ここでは、検知温度Ｔｒとパネル温度Ｔとの間に、例えば２０℃の温度差ΔＴがあるものとする。このとき、例えば温度検知回路１０４により周辺温度（検知温度Ｔｒ）として６０℃が検知された場合には、モジュール形態と同様に、検知温度Ｔｒとしての６０℃から補正量１０℃を減算する補正を行い、補正温度５０℃がパネル温度Ｔであると推定して分布Ａを参照し、基準電圧に対して−２５０ｍＶの電圧が黒表示電圧として設定される。しかしながら、本来は、検知温度とパネル温度との間に２０℃の温度差があるので、パネル温度は４０℃であり、分布Ａに基づき基準電圧に相当する電圧が黒表示電圧として設定されなければならない。
【００６５】
つまり、セット形態における検知温度Ｔｒとパネル温度Ｔとの温度差ΔＴがモジュール形態よりも拡大するような場合、本来印加されるべき最適な黒表示電圧よりも低い電圧（図１１のＢで示したような分布の電圧）が黒表示電圧として設定されてしまうため、コントラストの低下を招く。逆に、セット形態における検知温度Ｔｒとパネル温度Ｔとの温度差ΔＴがモジュール形態よりも縮小するような場合、本来印加されるべき最適な黒表示電圧よりも高い電圧が黒表示電圧として設定されてしまうため、階調反転を招く。
【００６６】
そこで、本実施形態においては、検知温度の補正量は、セット形態での検知温度Ｔｒとパネル温度Ｔとの差に基づいて設定される。つまり、セット形態における検知温度Ｔｒとパネル温度Ｔとの温度差がモジュール形態での設計値を超える場合にはその超過分を加算した値を補正量として設定し、また、セット形態での温度差がモジュール形態での設計値を下回る場合にはその分を減算した値を補正量として設定する。これにより、モジュール形態での検知温度Ｔｒとパネル温度Ｔとの差に加え、セット形態での温度検知回路の配置環境の影響が考慮され、より使用環境に応じた適切な電圧制御を行なうことができる。これにより、使用環境にかかわらず良好な表示品位が得られる。
【００６７】
（６）電圧制御方法
次に、より詳細な電圧制御方法について説明する。
【００６８】
上記した実施形態において、第１メモリ１０２は、制御回路１０１による黒表示電圧の制御に必要なデータとして、少なくともセット形態における検知温度Ｔｒとパネル温Ｔ度との温度差ΔＴに対応した補正量（例えば「２０」に対応したデータ）を記憶していれば良い。また、第２メモリ１０３は、制御回路１０１による黒表示電圧の制御に必要なデータとして、少なくともパネル温度Ｔに対する液晶層に印加すべき黒表示電圧の分布に対応した補正テーブル（例えば図１１の分布Ａに対応したデータ）を記憶していれば良い。
【００６９】
第１メモリ１０２は、書き換え可能な記憶媒体を含むことが望ましい。すなわち、第１メモリ１０２に記憶される補正量は、液晶パネルがセットされる筐体の仕様によって異なる可能性が高く、また、液晶パネルを筐体にセットした後においても微調整が必要となる可能性が高い。このため、補正量を記憶させるために、書き換え可能な記憶媒体を適用することにより、使用環境に応じて適宜補正量を変更することが可能となる。
【００７０】
このような第１メモリ１０２への補正量の記憶及び変更は、例えば制御回路１０１が外部から補正量に対応したデータの入力を受け付けると、これに伴って制御回路１０１が第１メモリ１０２に入力された補正量に対応したデータを書き込むことによって行われる。
【００７１】
第２メモリ１０３に記憶される補正テーブルは、液晶パネル１０固有の特性に基づくものであり、概ね書き換えの必要がない。このため、第２メモリ１０３は、読み出し専用の記憶媒体であっても良い。
【００７２】
このような構成の場合、図１２に示すように、制御回路１０１は、温度検知回路１０４に含まれるデジタル温度センサによって検知された検知温度Ｔｒ（Ｔｅｍｐ）から、第１メモリ１０２に記憶されている補正量（Ｘ）を減算するような補正を行う。そして、制御回路１０１は、補正した補正温度（Ｔｅｍｐ＿ｏｕｔ）に基づき、第２メモリ１０３に記憶されている補正テーブルを参照し、対応する温度での電圧を黒表示電圧として設定する。このような電圧制御によって設定された黒表示電圧は、Ｄ／Ａコンバータ（ＤＡＣ）を介して液晶パネル１０に供給される。このような制御により、使用環境にかかわらず良好な表示品位の液晶パネルを提供することができる。
【００７３】
（第５の実施形態）
以下、本発明の第５の実施形態に係る液晶表示装置１について図面を参照して説明する。なお、液晶パネルの構成と駆動回路の構成は、第２の実施形態と同様である。
【００７４】
（１）第５の実施形態の理論
第４の実施形態で説明したように、液晶パネル１０のパネル温度を直接検知することができないため、温度検知回路１０４によって検知された液晶パネル１０の周辺温度（検知温度Ｔｒ）と、実際の液晶パネル１０のパネル温度との間には、温度差が生ずることがある。このため、温度検知回路１０４によって検知された検知温度Ｔｒをオフセットさせるような補正を行い、その補正温度に応じて電圧を制御することになる。
【００７５】
液晶パネル１０の電源投入から所定時間（例えば３０分）が経過した以後の安定時は、検知温度Ｔｒとパネル温度Ｔとの温度差ΔＴはほぼ一定（例えば１０℃）となるため、検知温度Ｔｒから一定量をオフセットさせる（例えば１０℃減算する）ことによって得られた補正温度は、液晶パネル１０のパネル温度とほぼ同等となる。このため、この補正温度に応じて適切な電圧制御を行なうことができる。このような電圧制御は、図１４に示すように、パネル温度に対する最適な黒表示電圧の分布Ａを一定量の温度分（例えば１０℃分）だけ高くシフトさせた黒表示電圧の分布Ｂに基づき、検知温度Ｔｒに応じて黒表示電圧を設定することと等価である。
【００７６】
例えば、検知温度Ｔｒが２０℃である場合、パネル温度は１０℃であると推定される。したがって、補正温度を１０℃とし、分布Ａに基づき黒表示電圧を４．７Ｖに設定する。あるいは、検知温度Ｔｒが２０℃である場合、分布Ｂに基づき黒表示電圧を４．７Ｖに設定しても良い。
【００７７】
一方、液晶パネル１０の電源投入から所定時間が経過するまでの電源投入直後は、検知温度Ｔｒとパネル温度Ｔとが一致している場合が多い。このため、安定時と同様に、検知温度Ｔｒから一定量をオフセットさせると、得られた補正温度は、液晶パネル１０のパネル温度より高い値となってしまう。
【００７８】
例えば、検知温度Ｔｒが２０℃である場合、パネル温度もほぼ２０℃である場合が多く、分布Ａに基づき黒表示電圧として４．５Ｖに設定することが最適であるが、安定時のように検知温度Ｔｒを補正するあるいは分布Ｂに基づいて黒表示電圧を設定しようとすると、４．７Ｖに設定されてしまう。このため、このような電圧制御を行なうと、適正な黒表示電圧より高い電圧が印加されてしまい、階調反転を招くこととなる。
【００７９】
そこで、本実施形態においては、制御回路１０１は、温度検知回路１０４によって検知された検知温度Ｔｒに基づき、特定温度よりも低い温度を検知した場合には所定の一定電圧に黒表示電圧を設定すると共に、特定温度以上の温度を検知した場合には高い温度ほど一定電圧よりも低い電圧に黒表示電圧を設定する。
【００８０】
（２）第５の実施形態の具体例
第５の実施形態では、パネル温度に対して液晶層３０に印加すべき黒表示電圧の分布の一例として、図１５のＣで示したような分布を適用する。この分布Ｃは、特定温度、例えば４０℃よりも低い温度では一定電圧とし、特定温度以上の温度では高い温度ほど一定電圧よりも低くなるような電圧の分布である。なお、図１５では、液晶層３０に印加すべき黒表示電圧として所定の一定電圧を基準電圧とし（０Ｖ）、他の温度のときの黒表示電圧を相対値として示している。
【００８１】
この分布Ｃにおいて、図１４に示した分布Ａと比較したとき、特定温度以上の高温側ではほぼ一致するように設定されることが望ましく、また、特定温度より低温側では分布Ａの黒表示電圧よりも低い値に設定される。
【００８２】
安定時においては、図１５の分布Ｃに基づき、検知温度Ｔｒから一定量（安定時の検知温度Ｔｒとパネル温度Ｔとの温度差ΔＴ分）をオフセットさせることによって得られた補正温度に応じて黒表示電圧を設定する。このような電圧制御は、分布Ｃを一定量の温度差分（例えば１０℃分）だけ高くシフトさせた黒表示電圧の分布Ｄに基づき、検知温度Ｔｒに応じて黒表示電圧を設定することと等価である。
【００８３】
例えば、検知温度Ｔｒが６０℃である場合、パネル温度Ｔは５０℃であると推定される。したがって、補正温度を５０℃とし、分布Ｃに基づき黒表示電圧を基準電圧よりも２５０ｍＶ低い電圧に設定する。あるいは、検知温度Ｔｒが６０℃である場合、分布Ｄに基づき黒表示電圧を基準電圧よりも２５０ｍＶ低い電圧に設定しても良い。
【００８４】
一方、電源投入直後においても、安定時と同様に、検知温度Ｔｒから一定量をオフセットさせることによって得られた補正温度に黒表示電圧を設定する。
【００８５】
例えば、検知温度Ｔｒが２０℃である場合、パネル温度Ｔもほぼ２０℃である場合が多い。このため、安定時と同様にオフセットさせると、補正温度は１０℃となる。このように黒表示電圧を設定するために必要な補正温度は実際のパネル温度Ｔとは異なる。しかしながら、特定温度より低温側においては、分布Ｃは一定電圧であるため、補正温度を利用して分布Ｃに基づき黒表示電圧を設定したとしても、また、検知温度を利用して分布Ｄに基づき黒表示電圧を設定したとしても、設定される値に相違はない。つまり、補正温度を１０℃とし、分布Ｃに基づいて設定される黒表示電圧は基準電圧に相当する電圧であり、また、検知温度を２０℃として、分布Ｄに基づいて設定される黒表示電圧も基準電圧に相当する電圧である。
【００８６】
これにより、安定時のみならず電源投入直後であっても使用環境、特にパネル温度Ｔにかかわらず良好な表示品位が得られる。
【００８７】
（３）電圧制御方法
次に、より詳細な電圧制御方法について説明する。
【００８８】
上記した実施形態において、第１メモリ１０２は、制御回路１０１による黒表示電圧の制御に必要なデータとして、少なくとも検知温度Ｔｒとパネル温度Ｔとの温度差ΔＴに対応した補正量（例えば「１０」に対応したデータ）を記憶していれば良い。また、第２メモリ１０３は、制御回路１０１による黒表示電圧の制御に必要なデータとして、少なくともパネル温度に対する液晶層に印加すべき黒表示電圧の分布に対応した補正テーブル（例えば図１５の分布Ｃに対応したデータ）を記憶していれば良い。
【００８９】
第２メモリ１０３は、書き換え可能な記憶媒体を含むことが望ましい。すなわち、第２メモリ１０３に記憶される補正テーブルは、液晶パネルが使用される環境によって異なる可能性が高く、特に、特定温度を変更する可能性が高い。このため、補正テーブルを記憶させるために、書き換え可能な記憶媒体を適用することにより、使用環境に応じて適宜特定温度や黒表示電圧を変更することが可能となる。
【００９０】
このような構成の場合、図１２に示すように、制御回路１０１は、温度検知回路１０４に含まれるデジタル温度センサによって検知された検知温度Ｔｒ（Ｔｅｍｐ）から、第１メモリ１０２に記憶されている補正量（Ｘ）を減算するような補正を行う。そして、制御回路１０１は、補正した補正温度（Ｔｅｍｐ＿ｏｕｔ）に基づき、第２メモリ１０３に記憶されている補正テーブルを参照し、対応する温度での電圧を黒表示電圧として設定する。このような電圧制御によって設定された黒表示電圧は、Ｄ／Ａコンバータ（ＤＡＣ）を介して液晶パネル１０に供給される。
【００９１】
このようなデジタル温度センサと制御回路とを組み合わせた黒表示電圧の制御システムによれば、検知される温度をデジタルデータとして扱うことができるため、温度に応じた黒表示電圧の分布（制御関数）を自由に決定することもできる。このような制御により、使用環境にかかわらず良好な表示品位の液晶パネルを提供することができる。
【００９２】
（４）変更例１
上記実施形態において、特定温度は４０℃に設定したが、これに限らず、電源投入字の使用環境として考えられる温度範囲の上限に設定されれば良く、２５℃から５０℃の範囲内の温度に設定されることが望ましい。
【００９３】
（５）変更例２
上記実施形態の電圧制御を行うにあたり、温度検知回路の構成としてサーミスタを利用した温度検知回路構成の場合、その特性上、特定温度より低温側で一定の黒表示電圧を設定するようなシステムを構築することは不可能である。このため、温度検知回路の構成としてデジタル温度センサを含むような構成とすることが望ましい。
【００９４】
（第６の実施形態）
以下、本発明の第６の実施形態に係る液晶表示装置１について図面を参照して説明する。なお、液晶パネルの構成は第２の実施形態と同様であり、駆動回路の構成は、図１９に示すように、メモリ２０２のみを有し、また、制御回路１０１による制御に基づき経過時間を計測するタイマ２０３を有している点が第２の実施形態と異なる。
【００９５】
（１）第６の実施形態の理論
第５の実施形態で説明したように、液晶パネル１０の電源投入から所定時間（例えば３０分）が経過した以後の安定時は、検知温度Ｔｒとパネル温度Ｔとの温度差ΔＴはほぼ一定（例えば１０℃）となるため、検知温度Ｔｒから一定量をオフセットさせる（例えば１０℃減算する）ことによって得られた補正温度は、液晶パネル１０のパネル温度とほぼ同等となる。このため、この補正温度に応じて適切な電圧制御を行なうことができる。このような電圧制御は、図１４に示すように、パネル温度に対する最適な黒表示電圧の分布Ａを一定量の温度分（例えば１０℃分）だけ高くシフトさせた黒表示電圧の分布Ｂに基づき、検知温度Ｔｒに応じて黒表示電圧を設定することと等価である。
【００９６】
安定時において、このような分布Ｂに基づき検知温度Ｔｒに応じて黒表示電圧を設定したとき（あるいは分布Ａに基づき補正温度に応じて黒表示電圧を設定したとき）、図１６に示すように、例えばパネル温度が−１０℃から＋７０℃までの範囲において、設定値と最適な黒表示電圧との差は、プラスマイナス０．１Ｖであり、表示品位に何ら問題はなかった。
【００９７】
一方、液晶パネル１０の電源投入から所定時間が経過するまでの電源投入直後は、検知温度Ｔｒとパネル温度Ｔとが一致している場合が多い。このため、安定時と同様に、検知温度Ｔｒから一定量をオフセットさせると、得られた補正温度は、液晶パネル１０のパネル温度Ｔより高い値となってしまう。このため、この補正温度に応じて電圧制御を行なうと、適正黒表示電圧Ｖｓ（Ｔ）より高い電圧が印加されてしまい、表示不良を招くこととなる。
【００９８】
電源投入直後において、このような電圧制御により検知温度Ｔｒに応じて黒表示電圧を設定したとき、図１７に示すように、例えばパネル温度が−１０℃から＋７０℃までの範囲において、設定値と最適な黒表示電圧との差は、０．１Ｖを上回る場合が多く、そのときには階調反転を生じていた。
【００９９】
そこで、本実施形態においては、制御回路１０１は、タイマ２０３により電源投入から所定時間が計測されるまで（電源投入直後）は温度検知回路１０４によって検知された温度に応じて黒表示電圧を設定すると共に、タイマ２０３により電源投入から所定時間が計測された以後（安定時）は温度検知回路１０４によって検知された温度を補正し、補正した温度に応じて黒表示電圧を設定する。
【０１００】
（２）第６の実施形態の具体例
すなわち、第６の実施形態では、安定時の電圧制御（黒表示電圧の設定方法）は、図１４及び図１６を参照して説明したような電圧制御と同様である。これに対して、電源投入直後においては、検知温度Ｔｒとパネル温度Ｔとが一致している場合が多いことに着目し、安定時のような検知温度Ｔｒの補正を行わない。つまり、制御回路１０１は、電源投入に伴ってタイマ２０３を作動させ、所定時間例えば３０分が経過するまでの間、温度検知回路１０４によって検知された検知温度Ｔｒを利用して図１４に示したような分布Ａに基づき黒表示電圧を設定する。これにより、安定時のみならず電源投入直後であっても使用環境、特にパネル温度にかかわらず良好な表示品位が得られる。
【０１０１】
本実施形態によれば、電源投入直後において、分布Ａに基づき検知温度Ｔｒに応じて黒表示電圧を設定したとき、図１８に示すように、例えばパネル温度が−１０℃から＋７０℃までの範囲において、設定値と最適な黒表示電圧との差は、プラスマイナス０．１Ｖであり、表示品位に何ら問題はなかった。
【０１０２】
（３）変更例
本発明は上記実施形態に限らず、その主旨を逸脱しない限り種々に変更することができる。
【０１０３】
（３−１）変更例１
上記した実施形態において、メモリ２０２は、制御回路１０１による黒表示電圧の制御に必要なデータとして、少なくともパネル温度に対する最適な黒表示電圧の分布に対応した補正データ（例えば図１４の分布Ａに対応したデータ）を記憶していれば良い。
【０１０４】
このような構成の場合、制御回路１０１は、電源投入に伴ってタイマ２０３を作動させ、所定時間が経過するまでの間、温度検知回路１０４によって検知された検知温度Ｔｒに基づき、メモリ２０２に記憶されている補正データを参照して対応する温度での電圧を黒表示電圧として設定する。また、制御回路１０１は、タイマ２０３を参照し、所定時間が経過した後には、温度検知回路１０４によって検知された検知温度Ｔｒから所定値（例えば１０℃）を減算するような補正を行い、補正した補正温度に基づき、メモリ２０２に記憶されている補正データを参照し、対応する温度での電圧を黒表示電圧として設定する。このような電圧制御により、良好な表示品位の液晶パネルを提供することができる。
【０１０５】
（３−２）変更例２
電源投入から所定時間が経過した安定時には、パネル温度Ｔと検知温度Ｔｒとの間はほぼ一定であることに着目し、上記したような構成の場合、制御回路１０１は、安定時において、温度検知回路１０４によって検知された検知温度Ｔｒに基づき、メモリ２０２に記憶されている補正データを参照して対応する温度での電圧値よりも低い電圧を黒表示電圧として設定するようにしても良い。
【０１０６】
このような電圧制御によっても、比較的良好な表示品位の液晶パネルを提供することができる。
【０１０７】
（３−３）変更例３
メモリ２０２は、制御回路１０１による黒表示電圧の制御に必要なデータとして、パネル温度に対する液晶層に印加すべき黒表示電圧の分布に対応した第１補正データ（例えば図１４の分布Ａに対応したデータ）、及び、検知温度Ｔｒに対する液晶層に印加すべき黒表示電圧の分布に対応した第２補正データ（例えば図１４の分布Ｂに対応したデータ）を記憶していても良い。
【０１０８】
このような構成の場合、制御回路１０１は、電源投入に伴ってタイマ２０３を作動させ、所定時間が経過するまでの間、温度検知回路１０４によって検知された検知温度Ｔｒに基づき、メモリ２０２に記憶されている第１補正データを参照して対応する温度での電圧を黒表示電圧として設定する。また、制御回路１０１は、タイマ２０３を参照し、所定時間が経過した後には、温度検知回路１０４によって検知された検知温度Ｔｒに基づき、メモリ２０２に記憶されている第２補正データを参照して対応する温度での電圧を黒表示電圧として設定する。このような電圧制御によっても、良好な表示品位の液晶パネルを提供することができる。
【０１０９】
（３−４）変更例４
上記した実施形態では、電源投入から３０分が経過するまでとその後とで黒表示電圧の設定方法が異なる例について説明したが、黒表示電圧の設定方法を変えるタイミングはこの例に限らないが、３０分から６０分程度の時間で温度的に安定することが確認されており、この間の時間に設定することが望ましい。
【０１１０】
（３−５）変更例５
上記した実施形態では、電源投入から所定時間が経過するまでとその後とで２通りの黒表示電圧の設定方法を適用した場合について説明したが、電源投入からの時間を細かく刻み、３通り以上の黒表示電圧の設定方法を適用しても良い。例えば、電源投入から１０分が経過するまでは第１補正データに基づき黒表示電圧を設定し、電源投入から２０分が経過するまでは第２補正データに基づき黒表示電圧を設定し、さらに、電源投入から３０分が経過するまでは第３補正データに基づき黒表示電圧を設定するといった具合の方法を適用すると、より安定した表示品位が得られる。
【０１１１】
（３−６）変更例６
過去の液晶表示装置１の使用履歴（電源をＯＮ／ＯＦＦした時間）をメモリに残し、電源投入した際に、その直前に３０分以上液晶表示装置１を使用していた（つまり液晶パネルが点灯していた）場合には、電源投入直後に上記したような黒表示電圧の設定方法を適用せず、安定時と同様の黒表示電圧の設定方法を適用しても良い。これにより、より安定した表示品位が得られる。
【図面の簡単な説明】
【０１１２】
【図１】本発明の第１の実施形態の液晶表示装置のブロック図である。
【図２】図１の液晶表示装置における液晶印加電圧とパネル温度の関係を示すグラフである。
【図３】第２の実施形態の液晶表示装置における液晶印加電圧とパネル温度の関係を示すグラフである。
【図４】第３の実施形態の液晶表示装置における液晶印加電圧とパネル温度との関係を示すグラフである。
【図５】ＯＣＢモードの液晶表示装置における透過率と液晶印加電圧との関係を示すグラフである。
【図６】従来の液晶表示装置における液晶印加電圧とパネル温度との関係を示すグラフである。
【図７】本発明の第４〜６の実施形態に係るＯＣＢモードを適用した液晶表示装置の構成を概略的に示す図である。
【図８】第４、５の実施形態の液晶パネルの構成を概略的に示す図である。
【図９】図８に示した液晶パネルの液晶層に印加する電圧に対する液晶パネルの透過率の関係の一例を示す図である。
【図１０】第４の実施形態における黒表示電圧の温度依存性を説明するための図である。
【図１１】第４の実施形態におけるパネル温度に対する最適な黒表示電圧の分布及びこの分布を１０℃分だけシフトさせた分布の一例を示す図である。
【図１２】セット形態での電圧制御方法を説明するための図である。
【図１３】第５、６の実施形態における黒表示電圧の温度依存性を説明するための図である。
【図１４】第５、６の実施形態におけるパネル温度に対する最適な黒表示電圧の分布及びこの分布を１０℃分だけシフトさせた分布の一例を示す図である。
【図１５】第５の実施形態に適用可能なパネル温度に対して液晶層に印加すべき黒表示電圧の分布の一例を示す図である。
【図１６】第６の実施形態における安定時において設定した黒表示電圧と最適な黒表示電圧との差及び表示品位の判定結果を示す図である。
【図１７】第６の実施形態における電源投入直後において安定時と同様に設定した黒表示電圧と最適な黒表示電圧との差及び表示品位の判定結果を示す図である。
【図１８】第６の実施形態における電源投入直後において本実施形態の手法により設定した黒表示電圧と最適な黒表示電圧との差及び表示品位の判定結果を示す図である。
【図１９】第６の実施形態の液晶パネルの構成を概略的に示す図である。
【符号の説明】
【０１１３】
１  液晶表示装置
１０  液晶パネル
１２  アレイ基板
１４  対向基板
２６  コントローラ
２８  温度センサ
３０  ＯＣＢモードの液晶層
【図１】
2007264601.tif 000003
【図２】
2007264601.tif 000004
【図３】
2007264601.tif 000005
【図４】
2007264601.tif 000006
【図５】
2007264601.tif 000007
【図６】
2007264601.tif 000008
【図７】
2007264601.tif 000009
【図８】
2007264601.tif 000010
【図９】
2007264601.tif 000011
【図１０】
2007264601.tif 000012
【図１１】
2007264601.tif 000013
【図１２】
2007264601.tif 000014
【図１３】
2007264601.tif 000015
【図１４】
2007264601.tif 000016
【図１５】
2007264601.tif 000017
【図１６】
2007264601.tif 000018
【図１７】
2007264601.tif 000019
【図１８】
2007264601.tif 000020
【図１９】
2007264601.tif 000021